(57)【特許請求の範囲】
【請求項１】
透光材支持枠の枠内側に設けられた背面側支承壁と押縁の間の溝に透光材が配置され、前記溝に弾性シール材を充填して透光材を透光材支持枠に取り付けるようにした透光性遮音パネルにおいて、
前記透光材支持枠の枠内側面には、背面側支承壁と、その背面側支承壁に間隔をおいた位置に設けられた押縁用係止溝と、前記背面側支承壁から離れる方向で前記押縁用係止溝に間隔をおいて対向する位置に押縁からの風圧力の荷重を受ける押縁支承受部とが設けられ、
前記押縁は、透光材支持枠の押縁用係止溝と係合される係止用凸部と、透光材支持枠の押縁支承受部と係合される基端側外面と、基端側外面に隣接する凹部とを備え、
前記押縁と前記透光材支持枠には、透光材支持枠の押縁用係止溝に係合された係止用凸部を中心軸として、前記押縁が回転されて透光材支持枠の枠内側面に固定された上で、透光材が取り付けられており、
押縁における前記凹部は、押縁が回転する際に、押縁支承受部と干渉しないように凹んでいることを特徴とする透光性遮音パネル。
【請求項２】
前記透光材支持枠は、上下に間隔をおいた横枠材と左右に間隔をおいた縦枠材とを備え、前記各横枠材又は各縦枠材のいずれか一方又は両方の枠内側に、押縁用係止溝を備えて枠内側に突出する係止溝壁と、その押縁用係止溝に間隔をおいて対向するように押縁からの風圧力の荷重を受ける押縁支承受部が突出するように設けられていることを特徴とする請求項１に記載の透光性遮音パネル。
【請求項３】
透光材支持枠は、対向する横枠材を備えていると共に、各横枠材の中間部に立設された方立を備えており、前記方立の左右両側に、押縁用係止溝を備え枠内側に突出する係止溝壁と、前記押縁用係止溝に間隔をおいて対向するように押縁からの風圧力の荷重を受ける押縁支承受部が突出するように設けられていることを特徴とする請求項１又は２に記載の透光性遮音パネル。
【請求項４】
請求項１〜請求項３のいずれかに記載の透光性遮音パネルに設置される押縁であって、前記押縁は、透光材支持枠の内側面に配置される基端側底部と、その基端側底部における透光材側の一端部から立ち上がる荷重受用面板と、前記基端側底部の他端側から立ち上がる外側面板と、前記荷重受用面板と外側面板とを接続する接続板を備え、
前記荷重受用面板における基端側底部寄りには係止用凸部が設けられ、
前記基端側底部における外側面板寄りには凹部が設けられ、
前記接続板と基端側底部には、間隔をおいてビス挿通孔が対向するように設けられていることを特徴とする押縁。
【請求項５】
前記基端側底部又はその基端側底部と外側面板とに渡って、ナット挿通用の孔が設けられていることを特徴とする請求項４に記載の押縁。
【請求項６】
請求項１又は２に記載の透光性遮音パネルが、道路又は鉄道軌道に沿って間隔をおいて設置された隣り合う支柱の溝に渡って嵌合配置されて設置されていることを特徴とする透光性遮音壁。
【発明の詳細な説明】
【技術分野】
【０００１】
本発明は、合わせガラス板或は合成樹脂製板等の透光材を枠形フレーム等の透光材支持枠に設置する場合に用いられる押縁、及び透光性の遮音壁を構築する場合に、前記押縁を用いた透光性遮音パネル並びに透光性遮音壁に関する。
【背景技術】
【０００２】
従来、図１２に示すように、合わせガラス板或は合成樹脂製板等の透光材４０を透光材支持枠４１に設置する場合に、押縁４２を用いる場合がある。前記のように押縁４２を使用する場合には、ガラス等の透光材４０が破損して、前記透光材支持枠４１から取り外す場合に、押縁４２を透光材支持枠４１から取り外すことにより、押縁４２側の片面を開放し、容易にガラス板等の透光材４０の交換が容易になる利点がある。
【０００３】
前記のような押縁４２を用いた場合、透光材４０に作用する風圧力等の荷重は、透光材４０の周縁部を弾性材料製のシール材４３等を介して、押縁４２に作用するようになる。
前記のような押縁４２を透光材４０に平行に配置され押縁４２を貫通して透光材支持枠４１にねじ込むビス４４により、透光材支持枠４１側の枠材４５に固定する技術がある（例えば、特許文献１，２，３参照）。
【０００４】
風圧力等の荷重が作用する透光材４０を支承する押縁４２をビス４４により固定するようにした場合には、押縁４２に作用する風圧力等の荷重による荷重作用方向に直角に、ビス４４を配置して、押縁４２を透光性防音パネルの透光材支持枠における横枠材等の枠材４５に固定した場合には、ビス４４に繰り返しせん断力が作用するようになる。
【０００５】
また、図１３に示すように、押縁４６を回動するようにして、枠材４５に装着するようにする技術も知られている（例えば、特許文献４参照）。
【０００６】
また、図１３に示すように、枠材４５に弧状支持溝４７を設けて、その弧状支持溝４７に、透光材４０に対して遠い側に位置する弧状脚部４８を有する押縁４６における前記弧状脚部４８を差し込むと共に、前記押縁４６における透光材押え側端部を透光材４０に向って接近するように押縁４６を回動して設置するようにすると共に、透光材押え側端部４９の先端板を透光材側に係止させる押縁取り付け構造も知られている。
【先行技術文献】
【特許文献】
【０００７】
【特許文献１】特開２００９−７４２７４号公報
【特許文献２】特開平８−３５２１１号公報
【特許文献３】特開平９−１７７０４４号公報
【特許文献４】特開２００３−３２８３２５号公報
【発明の概要】
【発明が解決しようとする課題】
【０００８】
図１２に示すように、押縁４２をビス４４により固定するようにした場合で、例えば、透光材４０に対して直角な平坦面５０に押縁４２を設置した場合には、風圧力等による荷重によりビス４４に大きなせん断力が作用するため、細いビスを使用した場合には、破断する恐れがあると共に、ビス４４のねじ接合部の緩みを生じる恐れがあり、ビス４４が抜け出た場合には、押縁４２の脱落の恐れ、透光材４０の脱落の恐れが高くなる。
【０００９】
図１３に示すように、枠材４５の弧状支持溝４７に弧状脚部を有する押縁を組み合わせる構造の場合は、弧状支持溝４７の加工が複雑になり、加工コストが高くなるという問題がある。また、矢印の向きに風圧力が生じ、透光材４０から押縁４６側に向って風圧力が作用した場合には、押縁を押し込むように回動する方向と逆方向の風圧力による曲げ力が、押縁４６に作用するようになるために、透光材押え側端部４９の先端板を長く設けて、透光材４０側に係止する必要があるという問題がある。
本発明は、押縁を固定するビスに風圧力等によりせん断力を作用させることなく押縁を介して枠材にせん断力を伝達可能な構造とした透光性遮音パネル及び押縁並びに透光性遮音壁を提供することを目的とする。
【課題を解決するための手段】
【００１０】
第１発明の透光性遮音パネルにおいては、透光材支持枠の枠内側に設けられた背面側支承壁と押縁の間の溝に透光材が配置され、前記溝に弾性シール材を充填して透光材を透光材支持枠に取り付けるようにした透光性遮音パネルにおいて、前記透光材支持枠の枠内側面には、背面側支承壁と、その背面側支承壁に間隔をおいた位置に設けられた押縁用係止溝と、前記背面側支承壁から離れる方向で前記押縁用係止溝に間隔をおいて対向する位置に押縁からの風圧力の荷重を受ける押縁支承受部とが設けられ、前記押縁は、透光材支持枠の押縁用係止溝と係合される係止用凸部と、透光材支持枠の押縁支承受部と係合される基端側外面と、基端側外面に隣接する凹部とを備え、前記押縁と前記透光材支持枠には、透光材支持枠の押縁用係止溝に係合された係止用凸部を中心軸として、前記押縁が回転されて透光材支持枠の枠内側面に固定された上で、透光材が取り付けられており、押縁における前記凹部は、押縁が回転する際に、押縁支承受部と干渉しないように凹んでいることを特徴とする。
【００１１】
第２発明では、第１発明の透光性遮音パネルにおいて、前記透光材支持枠は、上下に間隔をおいた横枠材と左右に間隔をおいた縦枠材とを備え、前記各横枠材又は各縦枠材のいずれか一方又は両方の枠内側に、押縁用係止溝を備えて枠内側に突出する係止溝壁と、前記押縁用係止溝に間隔をおいて対向するように押縁からの風圧力の荷重を受ける押縁支承受部が突出するように設けられていることを特徴とする。
【００１２】
第３発明では、第１発明又は第２発明の透光性遮音パネルにおいて、透光材支持枠は、対向する横枠材を備えていると共に、各横枠材の中間部に立設された方立を備えており、前記方立の左右両側に、押縁用係止溝を備え枠内側に突出する係止溝壁と、前記押縁用係止溝に間隔をおいて対向するように押縁からの風圧力の荷重を受ける押縁支承受部が突出するように設けられていることを特徴とする。
【００１３】
第４発明の押縁では、第１発明〜第３のいずれか透光性遮音パネルに設置される押縁であって、前記押縁は、透光材支持枠の内側面に配置される基端側底部と、その基端側底部における透光材側の一端部から立ち上がる荷重受用面板と、前記基端側底部の他端側から立ち上がる外側面板と、前記荷重受用面板と外側面板とを接続する接続板を備え、
前記荷重受用面板における基端側底部寄りには係止用凸部が設けられ、
前記基端側底部における外側面板寄りには凹部が設けられ、
前記接続板と基端側底部には、間隔をおいてビス挿通孔が対向するように設けられていることを特徴とする。
【００１４】
第５発明では、第４発明の押縁において、前記基端側底部又はその基端側底部と外側面板とに渡って、ナット挿通用の孔が設けられていることを特徴とする請求項４に記載の。
【００１５】
第６発明の透光性遮音壁においては、第１発明〜第３発明のいずれかの透光性遮音パネルが、道路又は鉄道軌道に沿って間隔をおいて設置された隣り合う支柱の溝に渡って嵌合配置されて設置されていることを特徴とする。
【発明の効果】
【００１６】
第１発明によると、透光板に作用する風圧力等の荷重により押縁に押圧力或は曲げ力（曲げモーメント）が作用しても、押縁から枠材側に合理的に応力を伝達させることができ、また、押縁を、例えば、押縁の固定手段としてビスにより固定する場合には、ビスにせん断力が作用することはないから、ビスがせん断力により破断する恐れはなく、しかも、ビスのねじ部がゆるむ恐れがなく、そのため、ビスの脱落による押縁の脱落の恐れがない透光性防音パネルとすることができる。また、押縁における基端側底部には凹部を設けていることで、押縁を装着する場合に枠材側の押縁支承受部と干渉することなく、押縁を枠材側の押縁用係止溝に係止させると共に押縁支承受部に係合するように、押縁における係止用凸部を中心軸として機能させて回動して設置することができ、押縁の設置作業も容易である等の効果が得られる。
【００１７】
第２発明によると、第１発明において、透光材支持枠は、上下に間隔をおいた横枠材と左右に間隔をおいた縦枠材とを備え、前記各横枠材又は各縦枠材のいずれか一方又は両方の枠内側に、押縁用係止溝を備えて枠内側に突出する係止溝壁と、前記押縁用係止溝に間隔をおいて対向するように押縁からの風圧力の荷重を受ける押縁支承受部が突出するように設けられているので、押縁における係止用凸部を係止させると共に外側面板を押縁支承受部に支承させて、透光材に作用する風圧力等の荷重を押縁から枠材側に確実に伝達することができる等の効果が得られる。
【００１８】
第３発明によると、透光材支持枠は、対向する横枠材を備えていると共に、各横枠材の中間部に立設された方立を備えており、前記方立の左右両側に、押縁用係止溝を備え枠内側に突出する係止溝壁と前記押縁用係止溝に間隔をおいて対向するように押縁からの風圧力の荷重を受ける押縁支承受部が突出するように設けられているので、前記と同様に、透光材に作用する風圧力等の荷重を押縁を介して方立及び枠材側に確実に伝達することができ、押縁を方立に固定しているビスに、従来のようにせん断力を作用させることなく、押縁を方立にビスにより固定することができる等の効果が得られる。
【００１９】
第４発明によると、第１発明〜第３発明のいずれかの透光性遮音パネルに設置される押縁であって、前記押縁は、透光材支持枠の内側面に配置される基端側底部と、その基端側底部における透光材側の一端部から立ち上がる荷重受用面板と、前記基端側底部の他端側から立ち上がる外側面板と、前記荷重受用面板と外側面板とを接続する接続板を備え、前記荷重受用面板における基端側底部寄りには係止用凸部が設けられ、前記基端側底部における外側面板寄りには凹部が設けられ、前記接続板と基端側底部には、間隔をおいてビス挿通孔が対向するように設けられているので、簡単な構造の押縁とすることができ、また、ビスにせん断力を作用させないようにした押縁とすることができる等の効果が得られる。
【００２０】
第５発明によると、前記基端側底部又はその基端側底部と外側面板とに渡って、ナット挿通用の孔が設けられているので、枠材側にアイボルト等を固定するナットが押縁側に突出するように設けられていても、これに干渉することなく、押縁を枠材に設置することができる等の効果が得られる。
【００２１】
第６発明によると、第１発明又は第２発明の透光性遮音パネルが、道路又は鉄道軌道に沿って間隔をおいて設置された隣り合う支柱の溝に渡って嵌合配置されて設置されているので、押縁を固定しているビス等の締結部材にせん断力が作用することがなく、押縁を固定しているビス等の締結部材のせん断破壊の恐れのない、また、押縁の脱落する恐れのない透光性遮音壁とすることができる等の効果が得られる。
【図面の簡単な説明】
【００２２】
【図１】本発明の透光パネルに用いる押縁を示す斜視図である。
【図２】図１に示す押縁の正面図である。
【図３】本発明の透光パネルの一実施形態を示す正面図である。
【図４】図３のａ−ａ線断面図である。
【図５】図４の一部を拡大して示す縦断側面図である。
【図６】図３のｂ−ｂ線断面図である。
【図７】図３のｃ−ｃ線断面図である。
【図８】（ａ）〜（ｃ）は、押縁を枠材に装着する場合の工程を示す断面図である。
【図９】（ｄ）〜（ｆ）は、押縁を枠材に装着する場合の工程を示す断面図である。
【図１０】本発明の他の透光パネルの一実施形態を示す正面図で、方立を備えた形態の透光パネルを示す正面図である。
【図１１】図１０に示す透光パネルの方立付近を示すｄ−ｄ線断面図である。
【図１２】従来の押縁の設置形態の一例を示す断面図である。
【図１３】従来の押縁の設置形態の他の例を示す断面図である。
【発明を実施するための形態】
【００２３】
次に、本発明を図示の実施形態に基づいて詳細に説明する。
【００２４】
先ず、図１及び図２並びに図３を参照して、本発明の押縁１の構造について説明する。
押縁１は、例えば、アルミ合金又は樹脂の押出し成形により製造された型材に孔明け加工が施される。前記押縁１は、例えば、全体としてほぼ断面中空矩形状の断面形態とされる。
【００２５】
前記の押縁１は、透光性防音パネル２１（図３参照）における透光材支持枠２２を構成する縦枠材２３又は横枠材２４或は方立２５（図１０参照）等の枠材側寄りに配置される基端側底部２と、その基端側底部２における巾方向一端側（透光材４０側寄り）から立ち上がり透光材４０と対向するように内側に配置され、風圧力等の荷重が入力される荷重受用面板３と、その荷重受用面板３に間隔をおいて平行に配置され、基端側底部２の巾方向他端側から立ち上がる外側面板４と、前記荷重受用面板３と荷重受用面板３とを一体に接続する接続板５とを備えている。
【００２６】
前記の荷重受用面板３の基端側（基端側底部２寄り側）の外側には、係止用凸部６を備え、前記荷重受用面板３の中間部外側面は、シール材支承部７とされている。
前記の係止用凸部６は、透光材４０側に突出する凸部とされ、荷重受用面板３の外側面から直角に立ち上がる平坦な係止面８と、前記係止面８に略鋭角に接続する先端面９と、その先端面９から基端側底部２の外側面１０に滑らかに接続する断面円弧状外面１１とを備えている。前記の係止用凸部６は、押縁１の長手方向に連続して設けられていることから、透光材支持枠側の押縁用係止溝に係合された状態で、連続している係止用凸部６を中心軸として機能させて、押縁を必要とされる角度、回動又は回転させて、枠材側に設置することができる。このような場合に、前記断面円弧状外面１１であると、滑らかに押縁１を作業員により回動させることができる。
【００２７】
前記の係止面８は、基端側底部２の外側面１０と平行に設けられている。
前記の先端面９から基端側底部２の外側面１０に滑らかに接続する断面円弧状外面１１とされているので、押縁１を枠材側の押縁用係止溝２８（図６）に係止する場合に、押縁１を回動又は透光材４０側にずらしながら回動して係止する場合に、係止用凸部６をスムースに押縁用係止溝２８に係止可能にされている。
【００２８】
前記の断面円弧状外面１１は、先端面９から直線状に基端側底部２に接続する傾斜面としてもよいが、前記のように、押縁１を回動させながら係止する場合には、前記のように断面円弧状外面１１とするほうが、スムースに押縁１を装着することができる。
【００２９】
前記の基端側底部２における外側面板４寄りの部分は、接続板５側に凹むように湾曲して外側面板４に接続する湾曲接続部１３が形成されて、その湾曲接続部１３の外面により凹部１４が形成されている。前記の凹部１４を備えていることにより、透光材支持枠２２側の枠材側に設けられている押縁支承受部３０に向って回動する場合に、基端側底部２と外側面板４との接続隅部が、透光材支持枠２２における枠材側の押縁支承受部３０（図６参照）に干渉しないようにされている。
【００３０】
前記の湾曲接続部１３に接続して、外側面板４の基端側外面１５により、透光材４０から弾性シール材３１等を介して押縁１に作用する風圧力等の荷重を、透光材支持枠２２側の枠材（２３〜２５）に伝達するための荷重伝達面とされている。前記の基端側外面１５は、荷重受用面板３と平行に設けられ、基端側底部２に対し垂直に設けられている。
前記の外側面板４には、前記の基端側外面１５に接続する係合面１６を有するストッパー部１７が設けられている。
【００３１】
前記の湾曲接続部１３及びその凹部１４、係止用凸部６、ストッパー部１７は、押縁１の部材長手方向に連続するように設けられている。押縁１は、全体として断面略矩形状に凹部と凸部を形成した形態を呈しており、押し出し加工により製作され、アルミ合金等あるいは樹脂製等の材料により製作することができる。耐久性、耐候性の面では、アルミ合金製とするのがよい。
【００３２】
また、間隔をおいて平行に対向するように設けられている基端側底部２と接続板５には、これらの面に直角に貫通するように、ボルト軸部よりも僅かに大きいビス挿通孔１８，１９が設けられている。
また、基端側底部２の部分又は基端側底部２と湾曲接続部１３とにかけて、透光材支持枠２２側の縦枠材２３等に設けられる、アイボルト３２を取り付けるためのナット３３（図７参照）及びアイボルト３２のボルト軸部３４を挿通するための大径孔３５（図７参照）が適宜設けられる。なお、前記のアイボルト３２は、透光性防音パネル２１の落下を防止するためにロープ３６等を配置するために、縦枠材２３の少なくとも１箇所に設けられる。
【００３３】
なお、透光性防音パネル２１は、その両側部が、道路又は鉄道等軌道に沿って間隔をおいて立設される隣り合う支柱５６（図７参照）の溝５７に嵌合されて、バネ鋼等の固定部材（固定金具５８）等により保持される。
【００３４】
前記の荷重受用面板３に作用した荷重Ｐ（図７等に矢印で示す。）は、基端側底部２及び外側面板４における基端側外面１５及び係合面１６から、透光材支持枠２２側に伝達されるようにされている。
また、前記の荷重受用面板３に作用した曲げ荷重（図７等に矢印で示す。）は、接続板５から外側面板４を介して、透光材支持枠２２側に伝達可能にされている。
【００３５】
前記のように構成されている押縁１では、前記の荷重伝達面としての基端側外面１５から枠材側に荷重を伝達するようにして、押縁１がビス４４により取り付けられるので、風圧力等による荷重によるせん断力が作用しない構成とされ、ビス４４が、せん断力により破断しないようにされている。また、ビス４４には、大きなせん断力が作用せず、ビス４４を取り付けるためのねじ部（ビス雄ねじ軸部及びビス雌ねじ孔の雌ねじ部）に繰り返し荷重が作用しないために、ビス雌ねじ部の緩みがない構成とされている。
【００３６】
前記の係止用凸部６の係止面８とストッパー部１７の係合面１６とは、平行な面とされ、係止面８と係合面１６との基端側底部２からの距離差は、透光材支持枠２２側の平行な押縁用係止溝２８を有する係止溝壁２９の外側面と、押縁支承受部３０の外側面との枠材本体側からの距離差と略等しくされていることで、基端側外面１５及び係合面１６並びに基端側底部２の外側面１０から透光材支持枠２２側に応力を伝達可能にされている。
【００３７】
前記のストッパー部１７を備えていることで、押縁１を装着する時に、押縁１を透光材支持枠２２を構成している横枠材２４及び縦枠材２３又は方立２５に対して、所定の位置に設置可能にされている。
【００３８】
次に、図６を参照して前記のような押縁１を装着する透光材支持枠２２の枠材の構成について説明する。
押縁１を装着する透光材支持枠２２側の枠材としては、縦枠材２３のみ、或は横枠材２４のみ、或は、縦枠材２３と横枠材２４の両方、方立２５（図１０参照）がある場合には、方立２５に設ける必要がある場合には、方立２５にも、押縁１を装着可能にしてもよい。
【００３９】
図６に示す形態は、縦枠材２３に設けるようにした形態で、透光材支持枠２２を構成している縦枠材２３には、透光材支持枠２２の背面側に位置する枠内側部分に、支承壁部２６が、透光材支持枠２２の枠内側に突出するように設けられている。
支承壁部２６に接続している縦枠材本体（枠材本体）２７には、前記の支承壁部２６から間隔をおいて、支承壁部２６と反対側の前面側に向って開口する押縁用係止溝２８を有する係止溝壁２９が枠内側に突出するように設けられ、また、その係止溝壁２９に間隔をおいて押縁支承受部３０が設けられている。
【００４０】
図６に示す場合の押縁支承受部３０は、溝５７を有する押縁支承受部３０とされ、前記の係止溝壁２９と間隔をおいて対向するように設けられている。前記の溝５７は省略して、段部からなる押縁支承受部３０としてもよい。
透光材支持枠２２における各縦枠材２３に係止溝壁２９と押縁支承受部３０を設けたり、各横枠材２４に係止溝壁２９と押縁支承受部３０を設けたり、以下同様に、各縦枠材２３と各横枠材２４に設けたり、各縦枠材２３と方立２５に設けたり、各縦枠材２３及び横枠材２４と方立２５とに設けたりする。
【００４１】
次に、図３〜図７を参照して、透光材支持枠２２に対して透光材４０及び押縁１並びに弾性シール材３１を設けて、透光性遮音パネル２１とした一形態を説明する。
【００４２】
間隔をおいて対向するように上部及び下部の一対の横枠材２４，２４及び左右の一対の縦枠材２３を配置して、それらにより形成される隅角部を適宜接合金具（図示を省略した）等により接合して、透光材支持枠２２を形成している。
【００４３】
図４及びその一部を拡大して示す図５に示すように、上下の各横枠材２４，２４には、枠内側に突出するように背面側支承壁３７と、これに間隔をおいて内向き突出する前面側支承壁３８が設けられ、これらの支承壁間により、透光材４０の周縁部における上下部を遊嵌状態で嵌合配置するための透光材嵌合溝３９が形成され、透光材４０の上下部は、前記透光材嵌合溝３９に遊嵌状態で嵌合配置されて、弾性シール材３１により横枠材２４と透光材４０が固定されている。
なお、透光性防音パネル２１を上下に積み重ねできるように、上部の横枠材２４の上端部には、前面側に下向きに傾斜した傾斜支承部５１が設けられ、また、背面側に段部５２が設けられている。また、下部の横枠材２４の下端側には、前面側に下向きに傾斜した載置面５３と、係止板５４が設けられ、上下の透光性防音パネル２１の前後方向の位置決めをして、透光性防音パネル２１を同面状に配置可能にされている。
【００４４】
図６に左右の縦枠材における一方（右側の縦枠材２３）を示すように、左右の各縦枠材２３の枠材本体には、一体に枠内側に突出するように背面側支承壁３７を備えており、前記の背面側支承壁３７に間隔をおいて、押縁用係止溝２８を備え枠内側に突出する係止溝壁２９が設けられている。
前記の係止溝壁２９は、各縦枠材２３のほぼ全長に渡って上下方向に連続するように設けられている。
【００４５】
また、前記の押縁用係止溝２８を備えた係止溝壁２９に間隔をおいて対向するように、押縁支承受部３０が設けられている。押縁用係止溝２８を備えた係止溝壁２９と押縁支承受部３０との間の巾寸法は、押縁１における荷重受用面板３とこれに平行な基端側外面１５との間平行面間の寸法よりも僅かに大きくされ、荷重支承用受面３側の係止用凸部６の先端面９と、ストッパー部１７先端との間の寸法よりも小さくされている。
押縁用係止溝２８の溝高さは、押縁１における基端側底部２の外側面と係止面８との間の寸法よりも僅かに大きくされている。また、押縁用係止溝２８を有する係止溝壁２９の突出寸法は、押縁１における荷重支承用面板３から先端面９までの突出寸法よりも大きくされている。
【００４６】
また、各縦枠材２３には、上下方向に間隔をおいて、雌ねじ孔５５が複数設けられている。図１０及び図１１に示すように、方立２５に押縁１を設置する場合は、方立２５の左右両側に上下方向に間隔をおいて前記の雌ねじ孔５５を設ける。又、図示を省略するが、横枠材２４に押縁用係止溝２８を備えた係止溝壁２９及び押縁支承受部３０を設ける場合には、横枠材２４にも前記の雌ねじ孔５５を設ける。
【００４７】
前記の縦枠材２３及び横枠材２４における背面側支承壁３７の前面側に合わせガラス等の透光材４０を配置する。また、図８（ａ）（ｂ）（ｃ）に示すように、押縁１における荷重受用面板３に接続している係止用凸部６の断面円弧状外面１１を、押縁用係止溝２８に嵌合するように、押縁１の接続板５側を透光材４０に近づけるように押縁１を傾斜配置して、押縁１を透光材４０に向ってスライド移動させ、また、押縁１を回動させて、押縁１の係止用凸部６を縦枠材２３側の押縁用係止溝２８に係止し、さらに、図９に（ｅ）（ｆ）（ｇ）に示すように、断面円弧状外面１１を利用して、押縁１を透光材４０に向ってスライド移動させ、押縁１の係止用凸部６を、押縁用係止溝２８の奥に押し込んで、十分係合させて、その状態で、図９（ｆ）（ｇ）に示すように、前記の断面円弧状外面１１を利用して、スムースに押縁１を押縁支承受部３０に向って回動して、また、湾曲接続部１３の凹部１４により、押縁支承受部３０に干渉しない状態で、ストッパー部１７の係合面１６を押縁支承受部３０の枠内側面５９に当接させ、また、押縁１を前面側に僅かに移動させて外側面板４の基端側外面１５を、押縁支承受部３０の背面６０に面接触するように配置する。
なお、図7に示すように、押縁１には、枠材側に固定のアイボルト３２のボルト軸部３４とナット３３とを回避するための大径孔３５が、設けられているために、縦枠材２３から枠内側に突出していても、容易に押縁１を設置することができる。
その状態で、図６に示すように、押縁１における接続板５と基端側底部２にビス４４を挿通して、枠材側の雌ねじ孔５５にねじ込んで、押縁１を枠材（縦枠材２３）に固定する。
また、各縦枠材２３及び横枠材２４における背面側支承壁３７及び押縁１との間にバックアップ材（図示を省略）と弾性シール材３１を充填して、透光性遮音パネル２１を構成する。なお、ビス４４を取り外して、弾性シール材３１等を撤去し、押縁１を前記と逆に動作させて取り外すことで、透光材４０の交換もできる。
【００４８】
なお、図示を省略するが、横枠材２４にも係止溝壁２９及び押縁支承受部３０を前記と同様に設けている場合には、押縁１を横枠材２４にも前記と同様に取り付けて、バックアップ材と弾性シール材３１を設ける。
【００４９】
図１０及び図１１は、横枠材２４に渡って方立２５が設置されている形態の透光性防音パネル２１の場合が示されている。
この形態では、方立本体６１の背面側の左右両側に背面側支承壁３７が設けられ、各支承壁の前面側に間隔をおいて、押縁用係止溝２８を有する係止溝壁２９が設けられていると共に、さらに前面側には、左右両側に突出するようにフランジからなる押縁支承受部３０が設けられている形態の方立２５とされている。
【００５０】
このような方立２５を備えている透光材支持枠２２である場合も、方立２５の左右両側を縦枠材と同様に取り扱って、方立２５の片側（右側）と右側の縦枠材２３と、上下の横枠材２４の右側とに、透光材４０を配置し、前記と同様に、方立２５の右側と、右側の縦枠材２３の左側にそれぞれ押縁１を設置して複数のビス４４により方立２５及び縦枠材２３に固定し、前記と同様に適宜バックアップ材及び弾性材料性のシール材４３を設けて、透光材４０を設置する。また、同様に方立２５の左側にも同様に透光材４０を配置すると共に、押縁１を配置し、方立２５の左側の雌ねじ孔にビス４４を用いて固定すると共に、バックアップ材及び弾性シール材３１を設け、透光材４０を所定の位置に設置する。
【００５１】
前記の弾性シール材３１としては、シリコーン樹脂等が用いられ、また、前記のバックアップ材としては、発泡ポリエチレン製の材料等を用いてもよい。
【００５２】
前記のように固定されている透光材４０は、図７及び図１１に示すように、矢印方向の風圧力等の荷重が作用した場合には、弾性シール材４３から押縁１における荷重受用面板３作用する押圧力は、基端側底部２の基端側外面１５から押縁支承受部３０に押圧力が伝達される。また、押縁１には、透光材４０から弾性シール材３１を介して回転力が作用するが、押縁用係止溝２８を有する係止溝壁２９に、荷重受用面板３側の係止用凸部６が係止されており、押縁支承受部３０にストッパー部１７における係合面１６が係合することで、回転が防止されている。
【００５３】
前記のような透光性防音パネル２１は、その両側部が、道路又は鉄道等軌道に沿って間隔をおいて立設される隣り合う支柱５６（図７参照）の溝５７に落とし込み等により嵌合配置されて、支柱５６のフランジと透光材支持枠２２との間に、バネ鋼等の固定部材（固定金具５８）が配置されてガタ防止された状態で設置され、必要に応じ複数段に透光性防音パネル２１が積まれて、透光性遮音壁６２が形成される。
【００５４】
本発明を実施する場合、透光材支持枠に複数の方立２５を設けるようにしてもよい。
また、前記実施形態においては、ビスにより押縁を透光材支持枠側に固定するようにしている形態を示したが、本発明を実施する場合に、ビスに代えて、ボルトやリベットなどの接合手段（締結部材）であってもよい。
【符号の説明】
【００５５】
１  押縁
２  基端側底部
３  荷重受用面板
４  外側面板
５  接続板
６  係止用凸部
７  シール材支承部
８  係止面（係止用凸部の係止面）
９  先端面（係止用凸部の先端面）
１０  外側面（基端側底部の外側面）
１１  断面円弧状外面
１３  湾曲接続部
１４  凹部
１５  基端側外面
１６  係合面
１７  ストッパー部
１８  ビス挿通孔（基端側底部２側）
１９  ビス挿通孔（接続板５側）
２１  透光性遮音パネル
２２  透光材支持枠
２３  縦枠材
２４  横枠材
２５  方立
２６  支承壁部
２７  縦枠材本体（枠材本体）
２８  押縁用係止溝
２９  係止溝壁
３０  押縁支承受部
３１  弾性シール材
３２  アイボルト
３３  ナット
３４  ボルト軸部
３５  大径孔
３６  ロープ
３７  背面側支承壁
３８  前面側支承壁
３９  透光材嵌合溝
４０  透光材
４１  透光材支持枠
４２  押縁
４３  弾性シール材
４４  ビス
４５  枠材
４６  押縁
４７  弧状支持溝
４８  弧状脚部
４９  透光材押え側端部
５０  平坦面
５１  傾斜支承部
５２  段部
５３  載置面
５４  係止板
５５  雌ねじ孔
５６  支柱
５７  溝
５８  固定部材（固定金具）
５９  枠内側面
６０  背面
６１  方立本体
６２  透光性遮音壁
【図１】
0005690189.tif 000002
【図２】
0005690189.tif 000003
【図３】
0005690189.tif 000004
【図４】
0005690189.tif 000005
【図５】
0005690189.tif 000006
【図６】
0005690189.tif 000007
【図７】
0005690189.tif 000008
【図８】
0005690189.tif 000009
【図９】
0005690189.tif 000010
【図１０】
0005690189.tif 000011
【図１１】
0005690189.tif 000012
【図１２】
0005690189.tif 000013
【図１３】
0005690189.tif 000014